(57)【要約】【課題】キー溝部分が露出していることで生じる様々な問題を解消できるキーホルダーを提供する。【解決手段】操作レバー１７でキー本体１１をスライドさせ、キー本体１１のキー溝１１ａをキー挿通孔１６ａを介してホルダー本体２１から露出させたキー使用位置と、キー本体１１全体をキー挿通孔１６ａを介して収容室１６に収容させたキー収容位置とに切り替える。【選択図】図２
2008297739.tif 000002
【特許請求の範囲】
【請求項１】
キー溝が形成されたキー本体と、
前記キー本体の基端部に設けられたホルダー本体とを備えたキーホルダーであって、
前記ホルダー本体には、前記キー本体を収容する収容室が設けられる一方、該収容室に連通し該キー本体を挿通させるキー挿通孔と、該収容室に連通し長手方向に沿って開口したガイド長孔とが形成され、
前記キー本体の基端部には、前記ホルダー本体のガイド長孔を介して該ホルダー本体の表面から突出した操作手段が取り付けられ、
前記操作手段を前記ガイド長孔に沿ってスライドさせることで、前記ホルダー本体に対する前記キー本体の位置を、該キー本体のキー溝を前記キー挿通孔を介して該ホルダー本体から露出させたキー使用位置と、該キー本体全体を該キー挿通孔を介して前記収容室に収容させたキー収容位置とに切り替えることを特徴とするキーホルダー。
【請求項２】
キー溝が形成されたキー本体と、
前記キー本体の基端部に設けられたホルダー本体とを備えたキーホルダーであって、
前記ホルダー本体には、前記キー本体を収容する収容室が設けられる一方、該収容室に連通し該キー本体を挿通させるキー挿通孔が形成され、
前記キー本体の基端部は、該キー本体を回動自在に支持する支持軸を介して前記ホルダー本体に取り付けられ、
前記ホルダー本体は、
前記キー本体を前記支持軸回りに回動させるとともに、該キー本体のキー溝を前記ホルダー本体の収容室から露出させたキー使用位置に付勢する付勢手段と、
前記付勢手段の付勢力に抗して前記キー本体全体を前記ホルダー本体の収容室に収容させたキー収容位置で保持する保持手段と、
前記保持手段による前記キー本体の保持を解除する解除手段とを備えていることを特徴とするキーホルダー。
【請求項３】
請求項１又は２において、
前記ホルダー本体には、非接触式キー及び電波式キーのうち少なくとも一方が内蔵されていることを特徴とするキーホルダー。
【請求項４】
請求項１乃至３のうち何れか１項において、
前記ホルダー本体のキー挿通孔の近傍に設けられた照明手段を備え、
前記照明手段は、前記キー本体がキー使用位置に位置付けられているときに点灯するように構成されていることを特徴とするキーホルダー。
【請求項５】
請求項１乃至４のうち何れか１項において、
前記ホルダー本体は、互いに対向させた２枚の板状部材と、該２枚の板状部材の間に挟まれた中間部材とで構成されていることを特徴とするキーホルダー。
【発明の詳細な説明】
【技術分野】
【０００１】
本発明は、キーホルダーに関するものである。
【背景技術】
【０００２】
従来より、鍵の紛失を防止したり携帯性を向上させるために、鍵をキーホルダーに取り付けて持ち運ぶことが一般的に行われている。このキーホルダーは様々な形状のものが知られており、例えば、デザインを重視した装飾性の高いものや、特許文献１に示すように、車両のドアロックを遠隔操作で解錠又は施錠する電子機器を有する機能性の高いものがある。
【特許文献１】特開平１０−１８４１２０号公報
【発明の開示】
【発明が解決しようとする課題】
【０００３】
しかしながら、従来のキーホルダーでは、鍵のキー溝部分がキーホルダーから露出した状態となっているため、例えば、鍵をカバンやポケット等に収納しておくと、鍵のキー溝がカバンやポケット等の内側の布地に引っかかってカバンやポケット等が破れたり、鍵のキー溝がカバンやポケット内に収納している他の製品（財布や携帯電話等）に接触することでキー溝の表面が摩耗して傷が付いてしまうおそれがあった。
【０００４】
本発明は、かかる点に鑑みてなされたものであり、その目的は、キー溝部分が露出していることで生じる様々な問題を解消できるキーホルダーを提供することにある。
【課題を解決するための手段】
【０００５】
上述した目的を達成するため、本発明は、キー本体をホルダー本体に設けた収容室に収容できるようにし、さらに、解錠又は施錠時にはキー本体のキー溝をホルダー本体から簡単に露出できるようにした。
【０００６】
具体的に、本発明は、先端部にキー溝が形成されたキー本体と、前記キー本体の基端側に取り付けられたホルダー本体とを備えたキーホルダーを対象とし、次のような解決手段を講じた。
【０００７】
すなわち、請求項１の発明は、前記ホルダー本体には、前記キー本体を収容する収容室が設けられる一方、該収容室に連通し該キー本体を挿通させるキー挿通孔と、該収容室に連通し長手方向に沿って開口したガイド長孔とが形成され、
前記キー本体の基端部には、前記ホルダー本体のガイド長孔を介して該ホルダー本体の表面から突出した操作手段が取り付けられ、
前記操作手段を前記ガイド長孔に沿ってスライドさせることで、前記ホルダー本体に対する前記キー本体の位置を、該キー本体のキー溝を前記キー挿通孔を介して該ホルダー本体から露出させたキー使用位置と、該キー本体全体を該キー挿通孔を介して前記収容室に収容させたキー収容位置とに切り替えることを特徴とするものである。
【０００８】
請求項２の発明は、前記ホルダー本体には、前記キー本体を収容する収容室が設けられる一方、該収容室に連通し該キー本体を挿通させるキー挿通孔が形成され、
前記キー本体の基端部は、該キー本体を回動自在に支持する支持軸を介して前記ホルダー本体に取り付けられ、
前記ホルダー本体は、
前記キー本体を前記支持軸回りに回動させて、該キー本体のキー溝を前記ホルダー本体の収容室から露出させたキー使用位置に付勢する付勢手段と、
前記付勢手段の付勢力に抗して前記キー本体全体を前記ホルダー本体の収容室に収容させたキー収容位置で保持する保持手段と、
前記保持手段による前記キー本体の保持を解除する解除手段とを備えていることを特徴とするものである。
【０００９】
請求項３の発明は、請求項１又は２において、
前記ホルダー本体には、非接触式キー及び電波式キーのうち少なくとも一方が内蔵されていることを特徴とするものである。
【００１０】
請求項４の発明は、請求項１乃至３のうち何れか１項において、
前記ホルダー本体のキー挿通孔の近傍に設けられた照明手段を備え、
前記照明手段は、前記キー本体がキー使用位置に位置付けられているときに点灯するように構成されていることを特徴とするものである。
【００１１】
請求項５の発明は、請求項１乃至４のうち何れか１項において、
前記ホルダー本体は、互いに対向させた２枚の板状部材と、該２枚の板状部材の間に挟まれた中間部材とで構成されていることを特徴とするものである。
【発明の効果】
【００１２】
請求項１に係る発明によれば、操作手段でキー本体をスライドさせ、該キー本体のキー溝をキー挿通孔を介してホルダー本体から露出させたキー使用位置と、該キー本体全体をキー挿通孔を介して収容室に収容させたキー収容位置とに切り替えるようにしたから、キーホルダーをポケットに入れて持ち運ぶ場合にキー本体をキー収容位置にスライドさせて収容しておくことで、キー溝がポケット内側の布地に引っかかってポケットが破れてしまったり、ポケット内に収納している他の製品（例えば、携帯電話等）に接触してキー溝の表面が摩耗して傷が付いてしまうことを防止できる。
【００１３】
請求項２に係る発明によれば、保持手段によるキー本体の保持を解除手段で解除させ、付勢手段でキー本体を支持軸回りに回動させてキー使用位置に付勢させる構成としたから、ドアを解錠又は施錠する際に、ホルダー本体の収容室に収容していたキー本体をワンタッチで露出させ、キー使用位置に簡単に位置付けることができて操作性が向上する。
【００１４】
請求項３に係る発明によれば、ホルダー本体に非接触式キー及び電波式キーのうち少なくとも一方が内蔵されているから、例えば、近年、マンション等で導入されているような共用エントランスのオートロックの解錠を非接触式キーや電波式キーで行い、自宅のドアの解錠又は施錠をキー溝が形成されたキー本体で行う場合であっても、非接触式キーや電波式キーとキー本体とを別々に持ち歩く必要がなく利便性が向上する。
【００１５】
請求項４に係る発明によれば、キー本体がキー使用位置に位置付けられているときに、照明手段が点灯するようにしたから、例えば、夜間に帰宅したときに周囲が暗くて鍵穴の位置が認識しづらい場合でも、キー本体をキー使用位置にスライドさせて最先端部まで突出させた後、操作手段としての操作レバーをホルダー本体側に押し込むことで照明手段が点灯するような構成とすれば、夜間でも鍵穴を認識しやすくなり利便性が向上する。
【００１６】
請求項５に係る発明によれば、２枚の板状部材と両板状部材間に挟まれた中間部材とでホルダー本体を構成したから、板状部材及び中間部材の素材の組み合わせを適宜変更することで、重量感や高級感がありバリエーションに富んだデザイン性の高いキーホルダーを作成することができる。例えば、外側の板状部材や中間部材をＰＢＴ（ポリブチレンテレフタレート）で形成すれば、陶器のような質感を出すことが可能である。また、ホルダー本体の表面（具体的には、外側の板状部材の表面や側面、中間部材の側面等）に刻印を施すことも可能であり、例えば、マンションのデベロッパーの名称等を刻印しておくことで、販売促進用のツールとしても使用可能である。
【発明を実施するための最良の形態】
【００１７】
以下、本発明の実施形態を図面に基づいて説明する。なお、以下の好ましい実施形態の説明は、本質的に例示に過ぎず、本発明、その適用物或いはその用途を制限することを意図するものではない。
【００１８】
＜実施形態１＞
図１は本発明の実施形態１に係るキーホルダーの構成を示す斜視図、図２は平面図、図３は側面図、図４は裏面図である。図１〜図４に示すように、このキーホルダー１０は、キー本体１１とホルダー本体２１とを備えている。
【００１９】
前記キー本体１１の先端部にはキー溝１１ａが形成されている。このキー溝１１ａをドアの鍵穴に差し込んで回すことでドアの解錠又は施錠をすることができる。キー本体１１の基端部１１ｂは、キー溝１１ａが形成された先端部よりも幅広に形成されている。
【００２０】
前記ホルダー本体２１は、キー本体１１の基端部に設けられており、キー本体１１でドアの施錠等をする際に把持するためのものである。このホルダー本体２１は、互いに対向させた金属製の２枚の板状部材２１ａ，２１ａと、２枚の板状部材２１ａ，２１ａの間に挟まれた樹脂製の中間部材２１ｂとを複数の締結ボルト１２で締結することにより構成されている。この中間部材２１ｂは、板状部材２１ａの周縁に沿ってホルダー本体２１の側周壁をなすように形成されており、２枚の板状部材２１ａ，２１ａと中間部材２１ｂとでホルダー本体２１内部に収容室１６が区画されている。この収容室１６にはキー本体１１が収容される。
【００２１】
前記ホルダー本体２１の先端部には、収容室１６に連通しキー本体１１のキー溝１１ａを挿通させるキー挿通孔１６ａが形成され、ホルダー本体２１の厚さ方向の一側（図１では上側）には、収容室１６に連通し長手方向に沿って開口したガイド長孔１６ｂが形成されている。
【００２２】
前記キー本体１１の基端部１１ｂには、ホルダー本体２１のガイド長孔１６ｂを介してホルダー本体２１の表面、すなわち上側の板状部材２１ａから突出した操作レバー１７（操作手段）が取り付けられている。
【００２３】
前記操作レバー１７の板状部材２１ａから突出した部分は、ガイド長孔１６ｂの孔径よりも大きな円形板状に形成されている。この操作レバー１７をガイド長孔１６ｂに沿ってホルダー本体２１の長手方向、すなわち前後方向にスライドさせることで、ホルダー本体２１に対するキー本体１１の位置を、キー本体１１のキー溝１１ａをキー挿通孔１６ａを介してホルダー本体２１から露出させたキー使用位置と、キー本体１１全体をキー挿通孔１６ａを介して収容室１６に収容させたキー収容位置とに切り替えることができるようになっている。
【００２４】
また、前記ホルダー本体２１の後端部裏面には、非接触式キー２２及び電波式キー２３が内蔵されている。この非接触式キー２２は、例えば、近年、マンション等で導入されているような共用エントランスのオートロックを解除するためのものであり、ホルダー本体２１を信号読み取り機にかざすだけでオートロックを解除できるようになっている。また、電波式キー２３は図示しないスイッチを押すことで、解錠信号を電波で飛ばして離れた位置からオートロックを解錠できるようになっている。このように、１つのキーホルダー１０に、キー溝１１ａが形成されたキー本体１１と、非接触式キー２２及び電波式キー２３とを設けておけば、共用エントランスのオートロック解除を非接触式キー２２や電波式キー２３で行い、自宅ドアの解錠又は施錠をキー溝１１ａが形成されたキー本体１１で行う場合であっても、非接触式キー２２及び電波式キー２３やキー本体１１を別々に持ち歩く必要がなく利便性が向上する。
【００２５】
さらに、前記ホルダー本体２１の後端部には、ストラップホルダー２５が設けられており、このストラップホルダー２５に形成された貫通孔に携帯ストラップの紐を通すことで、キーホルダー１０に任意の携帯ストラップを取り付けることができるようになっている。
【００２６】
また、前記ホルダー本体２１の先端部、すなわち、ホルダー本体２１のキー挿通孔１６ａの近傍には、照明ライト１８（照明手段）が設けられている。この照明ライト１８は、例えばＬＥＤライトで構成することができる。そして、操作レバー１７でキー本体１１を前方にスライドさせ、キー本体１１をキー使用位置に位置付けた後、操作レバー１７をホルダー本体２１側に押し込むことで、後述するボールプランジャ２７の取り付け部分が接点スイッチ２０ａを介してボタン電池２０に電気的に接続され、これにより照明ライト１８に電力が供給されて照明ライト１８が点灯するようになっている。これにより、例えば、夜間に帰宅したときに周囲が暗くて鍵穴の位置が認識しづらい場合でも、キー本体１１をキー使用位置にスライドさせて最先端部まで突出させた後、操作レバー１７をホルダー本体２１側に押し込むことで照明ライト１８が点灯するため、夜間でも鍵穴を認識しやすくなり利便性が向上する。
【００２７】
図４に示すように、ホルダー本体２１の先端部裏面には、電波式キー２３や照明ライト１８に電力を供給するためのボタン電池２０を収容する電池収容部１９が形成されている。ボタン電池２０に隣接して、接点スイッチ２０ａが電気的に接続されている。また、ホルダー本体２１の裏面をなす金属製の板状部材２１ａには、例えば、マンションのデベロッパーの名称等が刻印された刻印部２６が形成されている。なお、この刻印部２６は、例えば、板状部材２１ａのガイド長孔１６ｂの周辺部や板状部材２１ａの側面、中間部材２１ｂの側面等に形成するようにしても構わない。
【００２８】
図５はキー本体をキー使用位置に位置付けたときの側面断面図、図６はキー本体をキー収容位置に位置付けたときの側面断面図である。図５及び図６に示すように、キー本体１１の基端部には、キー本体１１をキー使用位置又はキー収容位置でロックするためのボールプランジャ２７が取り付けられている。また、図５で下側の板状部材２１ａには、前後方向に間隔をあけて断面円錐状のプランジャ孔２８，２８が形成されている。このプランジャ孔２８，２８は、キー本体１１がキー使用位置又はキー収容位置に位置付けられたときに、ボールプランジャ２７が係合してキー本体１１がロックされる位置にあけられている。
【００２９】
すなわち、図５に示すように、操作レバー１７を前方にスライドさせてキー本体１１をキー使用位置に位置付けると、板状部材２１ａの先端側に形成されたプランジャ孔２８にボールプランジャ２７が係合され、キー本体１１がキー使用位置でロックされる。一方、図６に示すように、操作レバー１７を後方にスライドさせてキー本体１１をキー収容位置に位置付けると、板状部材２１ａの後端側に形成されたプランジャ孔２８にボールプランジャ２７が係合され、キー本体１１がキー収容位置でロックされる。
【００３０】
以上のように、本発明の実施形態１に係るキーホルダー１０によれば、操作レバー１７でキー本体１１をスライドさせ、キー本体１１のキー溝１１ａをキー挿通孔１６ａを介してホルダー本体２１から露出させたキー使用位置と、キー本体１１全体をキー挿通孔１６ａを介して収容室１６に収容させたキー収容位置とに切り替えるようにしたから、キーホルダー１０をポケット等に入れて持ち運ぶ場合にキー本体１１をキー収容位置にスライドさせて収容しておくことで、キー溝１１ａがポケットに引っかかってポケットが破れてしまったり、ポケット内に入れている他の製品（例えば、携帯電話等）に接触して、キー溝１１ａの表面が摩耗して傷が付いてしまうことを防止できる。
【００３１】
なお、本実施形態１では、ボールプランジャ２７を用いてキー本体１１をキー使用位置又はキー収容位置でロックするようにした構成について説明したが、この形態に限定するものではない。例えば、図７及び図８に示すキーホルダー３０では、キー本体１１の基端部の幅方向の一方の側壁部（図７では下側の側壁部）に嵌合凹部３１を形成し、ホルダー本体２１の中間部材２１ｂの側周壁内に弾性変形可能な係止バネ３２を収容する係止バネ収容部３３を設け、係止バネ収容部３３の開口孔３４から突出した係止バネ３２の先端部をキー本体１１の嵌合凹部３１に嵌合させることで、キー本体１１をキー使用位置で動かないようにロックしている。また、図８に示すように、キー本体１１をキー収容位置に位置付けたときには、キー本体１１の先端部と基端部１１ｂとの幅方向の寸法の違いにより形成される段差部に係止バネ３２を係止させることで、キー本体１１をキー収容位置で動かないようにロックしている。
【００３２】
なお、本実施形態１では、ホルダー本体２１を、金属製の２枚の板状部材２１ａ，２１ａと該２枚の板状部材２１ａ，２１ａ間に挟まれた樹脂製の中間部材２１ｂとの３層構造で構成するようにしたが、例えば、図９に示すキーホルダー４０のように、ホルダー本体４１全体を樹脂材、ＰＢＴ等で構成するようにしても構わない。このようにすれば、軽量化を図る上で有利になるとともに、シンプルなデザインとすることができる。なお、ホルダー本体４１だけではなく、操作レバー１７もホルダー本体４１と同じ材質で構成するようにすれば、デザインに統一感が生まれてさらに見栄えが良くなる。
【００３３】
また、本実施形態１では、金属製の板状部材２１ａ及び樹脂製の中間部材２１ｂを用いてホルダー本体２１を構成するようにしたが、この形態に限定するものではなく、例えば、板状部材２１ａをプラスチック、ＰＢＴ、木材等で構成してもよい。同様に、中間部材２１ｂを金属材、プラスチック、ＰＢＴ、木材等で構成してもよい。さらに、３層とも異なる材料で構成したり、同種の材料で統一させることも考えられる。このような材料の組み合わせは、デザイン性や製品コスト等を考慮して発明者が適宜変更することが可能である。
【００３４】
＜実施形態２＞
図１０は本発明の実施形態２に係るキーホルダーの構成を示す平面図、図１１は側面図である。前記実施形態１との違いは、キー本体５１を支持軸５３を介してホルダー本体５２に回動可能に支持するようにした点であるため、以下、実施形態１と同じ部分については同じ符号を付し、相違点についてのみ説明する。
【００３５】
図１０及び図１１に示すように、このキーホルダー５０は、キー本体５１とホルダー本体５２とを備えている。
【００３６】
前記キー本体５１の先端部にはキー溝５１ａが形成されている。このキー本体５１の基端部５１ｂは、キー本体５１を回動自在に支持する支持軸５３を介してホルダー本体５２に取り付けられている。
【００３７】
前記ホルダー本体５２には、キー本体５１を収容する収容室５６が設けられている。さらに、ホルダー本体５２の側周壁には、収容室５６に連通しキー本体５１を挿通させるキー挿通孔５６ａが形成されている。
【００３８】
図１２はキー本体をキー収容位置で収容している状態を示す側面断面図、図１３は解除スイッチを作動させたときの状態を示す側面断面図である。図１２及び図１３に示すように、前記ホルダー本体５２には、キー本体５１を支持軸５３回りに回動させるとともに、キー本体５１のキー溝５１ａをホルダー本体５２の収容室５６から露出させたキー使用位置に付勢する付勢スプリング５４（付勢手段）と、該付勢スプリング５４の付勢力に抗してキー本体５１全体をホルダー本体５２の収容室５６に収容させたキー収容位置で保持する保持爪５５（保持手段）と、保持爪５５によるキー本体５１の保持を解除する解除スイッチ５７（解除手段）とを備えている。
【００３９】
なお、前記ホルダー本体５２は、前記実施形態１と同様に、互いに対向させた金属製の２枚の板状部材５２ａ，５２ａと、２枚の板状部材５２ａ，５２ａの間に挟まれた樹脂製の中間部材５２ｂとを締結ボルト１２で締結することにより構成されているものとする。
【００４０】
前記付勢スプリング５４は、環状に巻回された環状部５４ａを有し、図１２で上側の板状部材５２ａに形成された凹部５２ｃとキー本体５１に形成された凹部５１ｃとの間に挟まれた状態で配置され、環状部５４ａから突出したスプリングの一端部５４ｂが板状部材５２ａの凹部５２ｃの内周壁に係止され、他端部５４ｃがキー本体５１の凹部５１ｃの底面の係止孔６７（図１０参照）に係止されており、キー本体５１がキー使用位置に位置する方向に付勢している。ここで、付勢スプリング５４の付勢力に抗してキー本体５１を支持軸５３回りに回動させてキー収容位置に位置付けると、付勢スプリング５４が弾性変形し、キー本体５１をキー使用位置に位置させる方向に付勢力が働くようになっている。
【００４１】
前記支持軸５３の上端部には、支持軸５３の外径よりも大きな円形状の解除スイッチ５７が取り付けられている。支持軸５３には圧縮スプリング６１が嵌合され、圧縮スプリング６１は、解除スイッチ５７と、下側の板状部材５２ａとキー本体５１との間に配設された受け部材６２のスプリング保持部６２ｂとの間に配置されている。ここで、解除スイッチ５７を押圧すると、圧縮スプリング６１の付勢力に抗して支持軸５３が下方に移動するようになっている。また、支持軸５３の下端部には、径方向に突出した保持爪５５が取り付けられている。
【００４２】
前記受け部材６２は、支持軸５３を図１２で上下方向に摺動自在に保持するものであり、下側の板状部材５２ａに形成された凹部５２ｃに嵌合固定される固定部６２ａと、圧縮スプリング６１を保持するスプリング保持部６２ｂとを備えている。
【００４３】
前記キー本体５１の基端部５１ｂには、受け部材６２のスプリング保持部６２ｂを挿通する貫通孔６５と、貫通孔６５の内周縁を一部切り欠いてなる保持溝６６と、付勢スプリング５４の他端部５４ｃを係止する係止孔６７が形成されている。
【００４４】
前記支持軸５３の下端部に取り付けられた保持爪５５は、キー本体５１の保持溝６６に嵌合して係合されるものであり、圧縮スプリング６１の付勢力で支持軸５３が上方に付勢されることで、常に保持爪５５が保持溝６６に係合された状態で保持されるようになっている。
【００４５】
ここで、キー本体５１をキー収容位置に保持するためには、まず、解除スイッチ５７を押圧し続けた状態で、保持爪５５と保持溝６６との係合を解除する。そして、キー本体５１を支持軸回りに回動させ、キー本体５１をキー収容位置に収容した後、解除スイッチ５７の押圧状態を解除する。このようにすれば、キー収容位置で保持溝６６に保持爪５５が嵌合係合され、付勢スプリング５４の付勢力に抗してキー本体５１の回動を阻止し、キー本体５１をキー収容位置に保持することができる。
【００４６】
一方、キー本体５１をキー使用位置に位置付けるためには、解除スイッチ５７を押圧するだけでよい。解除スイッチ５７を押圧すると、支持軸５３に連動して保持爪５５が下方に移動し、保持爪５５と保持溝６６との係合が解除される。そして、付勢スプリング５４の付勢力により、キー本体５１が支持軸５３回りに回動して、キー本体５１がキー使用位置に位置付けられる。ここで、解除スイッチ５７の押圧状態を解除すると、圧縮スプリング６１の付勢力により、支持軸５３に連動して保持爪５５が上方に移動し、保持爪５５と保持溝６６とが再び係合されるようになっている。
【００４７】
なお、本実施形態２に係るキーホルダー５０では、照明ライト１８、非接触式キー２２、電波式キー２３、電池収容部１９等の図示を省略しているが、ホルダー本体５２の空きスペース、例えば、図１０に示すホルダー本体５２の右下部分に内蔵する等、適宜配置すればよい。
【００４８】
以上のように、本実施形態２に係るキーホルダー５０によれば、保持爪５５によるキー本体５１の保持を解除スイッチ５７で解除させ、付勢スプリング５４でキー本体５１を支持軸５３回りに回動させてキー使用位置に付勢させる構成としたから、ドアを解錠又は施錠する際に、ホルダー本体５２の収容室５６に収容していたキー本体５１を解除スイッチ５７を押圧することでワンタッチで露出させ、キー使用位置に簡単に位置付けることができて操作性が向上する。
【産業上の利用可能性】
【００４９】
以上説明したように、本発明は、キー溝部分が露出していることで生じる様々な問題を解消できるキーホルダーを提供することができるという実用性の高い効果が得られることから、きわめて有用で産業上の利用可能性は高い。
【図面の簡単な説明】
【００５０】
【図１】本発明の実施形態１に係るキーホルダーの構成を示す斜視図である。
【図２】キーホルダーの構成を示す平面図である。
【図３】キーホルダーの構成を示す側面図である。
【図４】キーホルダーの構成を示す裏面図である。
【図５】キー本体をキー使用位置に位置付けたときの側面断面図である。
【図６】キー本体をキー収容位置に位置付けたときの側面断面図である。
【図７】キー本体をキー使用位置に位置付けたときのロック機構の別の構成を示す平面断面図である。
【図８】キー本体をキー収容位置に位置付けたときのロック機構の別の構成を示す平面断面図である。
【図９】本実施形態１に係るキーホルダーの変形例を示す斜視図である。
【図１０】本実施形態２に係るキーホルダーの構成を示す平面図である。
【図１１】キーホルダーの構成を示す側面図である。
【図１２】キー本体をキー収容位置で収容している状態を示す側面断面図である。
【図１３】解除スイッチを作動させたときの状態を示す側面断面図である。
【符号の説明】
【００５１】
１０    キーホルダー 
１１    キー本体 
１１ａ  キー溝 
１１ｂ  基端部 
１２    締結ボルト 
１６    収容室 
１６ａ  キー挿通孔 
１６ｂ  ガイド長孔 
１７    操作レバー（操作手段）
１８    照明ライト（照明手段）
２１    ホルダー本体
２１ａ  板状部材
２１ｂ  中間部材
２２    非接触式キー
２３    電波式キー
５３    支持軸
５４    付勢スプリング（付勢手段）
５５    保持爪（保持手段）
５７    解除スイッチ（解除手段）
【図１】
2008297739.tif 000003
【図２】
2008297739.tif 000004
【図３】
2008297739.tif 000005
【図４】
2008297739.tif 000006
【図５】
2008297739.tif 000007
【図６】
2008297739.tif 000008
【図７】
2008297739.tif 000009
【図８】
2008297739.tif 000010
【図９】
2008297739.tif 000011
【図１０】
2008297739.tif 000012
【図１１】
2008297739.tif 000013
【図１２】
2008297739.tif 000014
【図１３】
2008297739.tif 000015